(57)【要約】【課題】防水性に優れた屋外設備設置用基礎部材の取り付け構造、および屋外設備設置用基礎部材を提供する。【解決手段】屋外に設置する屋外設備と屋外の設置面２との間に屋外設備設置用基礎部材を介在させて屋外設備設置用基礎部材の取り付け構造１を構成する。屋外設備設置用基礎部材の基礎部材本体１１は、ボルト５を挿入する貫通孔１５が平面１２から底面１３まで貫通して形成され、この貫通孔１５から側方に貫通して基礎部材本体外周面１４に開口した通気孔１６が形成されている。基礎部材本体１１の底面１３は、貫通孔１５の口径が拡大されて設置面２との間の空隙である通気部１７が形成されている。ボルト５を貫通孔１５に挿入して屋外設備設置用基礎部材を設置面２に取り付けると、通気孔１６、貫通孔１５、および通気部１７が外気の流路Ｘとなる。【選択図】図２
2014136871.tif 000002
【特許請求の範囲】
【請求項１】
屋外に設置される屋外設備と前記屋外の設置面との間に屋外設備設置用基礎部材が介在される屋外設備設置用基礎部材の取り付け構造において、
前記屋外設備設置用基礎部材の基礎部材本体に、平面から底面まで貫通して前記屋外設備設置用基礎部材を前記設置面に取り付けるためのボルトが挿入される貫通孔と、前記貫通孔から側方に貫通して前記基礎部材本体の外周面に開口された通気孔とが形成され、
前記基礎部材本体の底面に、前記貫通孔の口径が拡大されて前記設置面との間の空隙である通気部が形成され、
前記通気孔、前記貫通孔、および前記通気部とで外気の流路が形成された、
ことを特徴とする屋外設備設置用基礎部材の取り付け構造。
【請求項２】
前記基礎部材本体の底面に、縁が前記基礎部材本体の底面の縁よりも内側に配置される大きさに形成された板状のゴム部材が備えられ、
前記ゴム部材の縁が前記基礎部材本体の底面と前記設置面との間でシールされた、
ことを特徴とする請求項１に記載の屋外設備設置用基礎部材の取り付け構造。
【請求項３】
前記ゴム部材と前記設置面との間に、前記貫通孔の口径を周方向に囲ってシールされたことで包囲シール部が形成され、この包囲シール部が前記貫通孔から前記ゴム部材の縁に向かって間隔を空けて多重に備えられた、
ことを特徴とする請求項２に記載の屋外設備設置用基礎部材の取り付け構造。
【請求項４】
前記通気部で前記ボルトと前記設置面との間がシールされた、
ことを特徴とする請求項１から請求項３のいずれか１項に記載の屋外設備設置用基礎部材の取り付け構造。
【請求項５】
前記基礎部材本体が略円柱状に形成され、外周面への風圧が抑えられた、
ことを特徴とする請求項１から請求項４のいずれか１項に記載の屋外設備設置用基礎部材の取り付け構造。
【請求項６】
請求項１から請求項５のいずれか１項に記載の屋外設備設置用基礎部材の取り付け構造に用いられる、
ことを特徴とする屋外設備設置用基礎部材。
【発明の詳細な説明】
【技術分野】
【０００１】
本発明は、屋外設備設を屋外に設置するために用いられる屋外設備設置用基礎部材の取り付け構造、および屋外設備設置用基礎部材に関するものである。
【背景技術】
【０００２】
従来、屋外設備設置用基礎部材は、例えばアンテナ基地局、貯水槽、ソーラーパネルなどの屋外設備を屋外に設置する際に用いられ、屋外設備とその設置面との間に設けられる。一般的な屋外設備設置用基礎部材は、屋外設備の施工現場において作製された型枠に、コンクリートが打設・養生されて造られる。しかし、施工現場でコンクリートが打設される場合、型枠が施工現場で作製されること、およびコンクリートの養生が必要であることから、工期が長期化する。また、屋外によっては防水基準を満たす必要があるため、施工後の設置面の防水性が問題となる。
【０００３】
そこで工期を短縮するため、下記特許文献１に記載の据え付け構造が提案されている。この据え付け構造によれば、あらかじめ作製された基礎が、設置面に形成された薄いセメント層を接着層としてスラブと一体化され、その上に屋外設備が架台と共に取り付けられる。
【先行技術文献】
【特許文献】
【０００４】
【特許文献１】特開平９−７０１８８号公報
【発明の概要】
【発明が解決しようとする課題】
【０００５】
しかし、上記した据え付け構造があと施工アンカーなどによって屋外に設置される場合、特に建物の屋上においては屋上スラブの仕上げ面における防水層にあと施工アンカー用の孔が削孔されるため、上記したように防水性が問題となる。
【０００６】
本発明は、上記の実情に鑑みて提案されたものである。すなわち、防水性に優れた屋外設備設置用基礎部材の取り付け構造、および屋外設備設置用基礎部材の提供を目的とする。
【課題を解決するための手段】
【０００７】
上記目的を達成するために、本発明に係る屋外設備設置用基礎部材の取り付け構造は、屋外に設置される屋外設備と前記屋外の設置面との間に屋外設備設置用基礎部材が介在される屋外設備設置用基礎部材の取り付け構造において、前記屋外設備設置用基礎部材の基礎部材本体に、平面から底面まで貫通して前記屋外設備設置用基礎部材を前記設置面に取り付けるためのボルトが挿入される貫通孔と、前記貫通孔から側方に貫通して前記基礎部材本体の外周面に開口された通気孔とが形成され、前記基礎部材本体の底面に、前記貫通孔の口径が拡大されて前記設置面との間の空隙である通気部が形成され、前記通気孔、前記貫通孔、および前記通気部とで外気の流路が形成されたことを特徴とすることを特徴としている。
【０００８】
本発明に係る屋外設備設置用基礎部材の取り付け構造は、前記基礎部材本体の底面に、縁が前記基礎部材本体の底面の縁よりも内側に配置される大きさに形成された板状のゴム部材が備えられ、前記ゴム部材の縁が前記基礎部材本体の底面と前記設置面との間でシールされたことを特徴としている。
【０００９】
本発明に係る屋外設備設置用基礎部材の取り付け構造は、前記ゴム部材と前記設置面との間に、前記貫通孔の口径を周方向に囲ってシールされたことで包囲シール部が形成され、この包囲シール部が前記貫通孔から前記ゴム部材の縁に向かって間隔を空けて多重に備えられたことを特徴としている。
【００１０】
本発明に係る屋外設備設置用基礎部材の取り付け構造は、前記通気部で前記ボルトと前記設置面との間がシールされたことを特徴としている。
【００１１】
本発明に係る屋外設備設置用基礎部材の取り付け構造は、前記基礎部材本体が略円柱状に形成され、外周面への風圧が抑えられたことを特徴としている。
【００１２】
本発明に係る屋外設備設置用基礎部材は、屋外設備設置用基礎部材の取り付け構造に用いられることを特徴としている。
【発明の効果】
【００１３】
本発明に係る屋外設備設置用基礎部材の取り付け構造は上記した構成である。この構成によれば、空調設備などの影響により建物内が負圧となった場合、外気は通気孔から吸気されて貫通孔を介して通気部に流入し、設置面のクラックなどを通じて建物の内側に流れる。外気の流路が通気孔、貫通孔、および通気部であるため、基礎部材本体の底面と設置面との間が通気されず、設置面におけるボルトの取り付け部分が、設置面を流れる水によって浸水することが抑制される。したがって、防水性に優れている。
【００１４】
本発明に係る屋外設備設置用基礎部材の取り付け構造は、基礎部材本体の底面に、縁が基礎部材本体の底面の縁よりも内側に配置される大きさに形成された板状のゴム部材が備えられ、このゴム部材の縁が基礎部材本体の底面と設置面との間でシールされている。この構成によれば、ゴム部材は縁がシールされているため外部に露出されず、紫外線によるゴムの酸化などによるゴム部材の劣化が抑制される。したがって、防水性に優れている。
【００１５】
本発明に係る屋外設備設置用基礎部材の取り付け構造は、ゴム部材と設置面との間に、貫通孔の口径を周方向に囲ってシールされたことで包囲シール部が形成され、この包囲シール部が貫通孔からゴム部材の縁に向かって間隔を空けて多重に備えられている。この構成によれば、毛細管現象により設置面と包囲シール部との間が浸水した場合、包囲シール部同士の間隔が空けられた部分において基礎部材本体の底面と設置面との間に僅かな隙間が生じ、水の流路の幅が広げられるため毛細管現象が起こらず、設置面におけるボルトの取り付け部分が設置面を流れる水によって浸水することが抑制される。したがって、防水性に優れている。
【００１６】
本発明に係る屋外設備設置用基礎部材の取り付け構造は、通気部でボルトと設置面との間がシールされている。この構成によれば、設置面におけるボルトの取り付け部分は、基礎部材本体の内側に形成された通気部においてシールされているため、外気に触れ難く、また浸水し難い。したがって、シール材の劣化が抑制され、耐久性および防水性に優れている。
【００１７】
本発明に係る屋外設備設置用基礎部材の取り付け構造は、基礎部材本体が略円柱状に形成され、外周面への風圧が抑えられている。この構成によれば、基礎部材本体の外周面が曲面であるため風圧が抑制され、風圧を受けた水が曲面に沿って流れるため、水が風圧を受けて基礎部材本体と設置面との間に滞留することが抑制される。そのため、設置面におけるボルトの取り付け部分が設置面を流れる水によって浸水することが抑制される。したがって、防水性に優れている。
【００１８】
本発明に係る屋外設備設置用基礎部材は、上記した屋外設備設置用基礎部材の取り付け構造に用いられる。したがって、防水性に優れている。
【図面の簡単な説明】
【００１９】
【図１】本発明の実施形態に係る屋外設備設置用基礎部材の外観を示し、（ａ）が平面図、（ｂ）が正面Ａ−Ａ断面図である。
【図２】本発明の実施形態に係る屋外設備設置用基礎部材の取り付け構造の外観を示し、（ａ）が平面図、（ｂ）が正面Ｂ−Ｂ断面図である。
【発明を実施するための形態】
【００２０】
以下に、本発明の実施形態を図面に基づいて説明する。図１は本実施形態に係る屋外設備設置用基礎部材１０の外観が示されている。
【００２１】
図１において、本実施形態に係る屋外設備設置用基礎部材１０は、基礎部材本体１１、貫通孔パイプ部材２０、通気孔パイプ部材３０、およびゴム部材４０、から構成されている。
【００２２】
基礎部材本体１１はプレキャストコンクリート（ＰＣａ）であるが、例えば繊維強化プラスチック（ＦＲＰ）、金属製でもよい。基礎部材本体１１は、平面１２、底面１３、および外周面１４を有する略円柱状に形成されているが、楕円柱状、多角柱状でもよい。基礎部材本体１１は、平面１２と底面１３との中心を軸方向に貫通する貫通孔１５が形成され、貫通孔１５から外周面１４まで側方に貫通した通気孔１６が形成されている。貫通孔１５は底面１３側の口径が拡大されて通気部１７が形成されている。通気部１７は貫通孔１５の直径よりも大きい略円柱状の空隙であり、貫通孔１５と同軸に形成されている。通気孔１６は貫通孔１５よりも細く形成され、底面１３側に向けて傾斜している。基礎部材本体１１を成形する型枠は、例えば紙製パイプ、塩化ビニル製パイプ、木製枠、金属製枠などである。基礎部材本体１１は例えばシリカ系防水材、塗布防水材を用いて防水性を向上させてもよい。
【００２３】
貫通孔パイプ部材２０は、全長が基礎部材本体１１の全長よりも短く形成され、貫通孔１５の中程に取り付けられている。貫通孔パイプ部材２０の上端部２１（平面１２側）が基礎部材本体１１の平面１２よりも奥まって配置され、下端部２２（底面１３側）が貫通孔１５と通気部１７との境界に配置されている。貫通孔パイプ部材２０は例えば塩化ビニル製、金属製などである。
【００２４】
通気孔パイプ部材３０は、全長が通気孔１６の全長よりも長く形成され、通気孔１６に取り付けられている。通気孔パイプ部材３０の先端部３１（外周面１４側）は基礎部材本体１１の外周面１４よりも突出して配置され、基端部３２（貫通孔１５側）は貫通孔パイプ部材２０に連ねられている。通気孔パイプ部材３０は例えばアルミニウム製、銅製、シリコン製などである。
【００２５】
ゴム部材４０は円盤状であり、直径が基礎部材本体１１の直径よりも小さく形成され、略中心に貫通孔１５の口径（通気部１７の直径）と略等しい孔が開口されている。ゴム部材４０は基礎部材本体１１の底面１３に取り付けられている。ゴム部材４０の厚みは例えば６ｍｍから１０ｍｍである。なお、ゴム部材４０は基礎部材本体１１の形状に合わせて、楕円形、多角形でもよい。
【００２６】
次に、屋外設備設置用基礎部材１０の施工手順を図面に基づいて説明する。図２は、本実施形態に係る屋外設備設置用基礎部材１０の取り付け構造１の外観が示されている。
【００２７】
図２において、設置面２の仕上げ面である防水層３の表面を清掃し、ボルト５を打つボルト孔４をドリル（図示せず）などで削孔して粉塵を除去する。ボルト孔４にアンカーとしてエポキシ接着剤（図示せず）を注入してボルト５をねじ込み、二時間以上放置してエポキシ接着剤を硬化させる。ボルト５と防水層３との間をシール材８でシールし、四時間以上放置してシール材８を硬化させる。
【００２８】
貫通孔１５にボルト５を挿入させて屋外設備設置用基礎部材１０を設置面２（防水層３）に取り付ける。その際、基礎部材本体１１の底面１３に取り付けられたゴム部材４０に包囲シール部４１を形成する。具体的には、貫通孔１５の口径（通気部１７の直径）を、例えば変性シリコンなどのシール材８で周方向に囲う。包囲シール部４１は貫通孔１５を中心とした三重の同心円状に、それぞれゴム部材４０の周縁に向かって間隔４２を空けて形成する。なお、包囲シール部４１は二重または三重以上であってもよい。
【００２９】
屋外設備設置用基礎部材１０を設置面２（防水層３）に取り付け、基礎部材本体１１の平面１２側に座金６と共にナット７を取り付けて締め付けてゴム部材４０を防水層３に密着させる。貫通孔１５の平面１２側に、例えば硬化性接着剤などのシール材８を充填してシールする。ゴム部材４０の周縁であって基礎部材本体１１の底面１３と防水層３との間を、例えば変性シリコンなどのシール材８でシールし、シール材８を硬化させた後、更にシール材８でシールする（三角シール）。
【００３０】
次に、上記したように施工された屋外設備設置用基礎部材１０の取り付け構造１を説明する。屋外設備設置用基礎部材１０の取付構造１は、上記したように屋外の設置面２に設置され、基礎部材本体１１の平面１２側に、例えばソーラーパネルなどの屋外設備（図示せず）が取り付けられる。
【００３１】
屋外設備設置用基礎部材１０は、基礎部材本体１１の貫通孔１５に、設置面２に打ち込まれたボルト５が挿入されて設置面２（防水層３）に取り付けられている。屋外設備設置用基礎部材１０は、基礎部材本体１１の平面１２側が、ボルト５に取り付けられたナット７で座金６を介して締め付けられ、基礎部材本体１１の底面１３に取り付けられたゴム部材４０を介して防水層３に密着されている。ゴム部材４０と防水層３との間は、包囲シール部４１によって貫通孔１５を中心とした三重の同心円状にシールされている。包囲シール部４１同士はゴム部材４０の周縁に向かって間隔４２が空いている。ゴム部材４０は基礎部材本体１１の底面１３の直径よりも小さく形成され、ゴム部材４０の周縁が基礎部材本体１１の底面１３と防水層３との間でシール材８によってシールされている。
【００３２】
基礎部材本体１１の貫通孔１５は、ボルト５が挿入された状態で平面１２側から貫通孔パイプ部材２０の上端部２１に至ってシール材８が充填され、上端部２１が閉塞している。基礎部材本体１１の平面１２で座金６とシール材８とが接触している。貫通孔パイプ部材２０の側方に連ねられた通気孔パイプ部材３０は設置面２よりも高い位置に配置されている。貫通孔パイプ部材２０の下端部２２（底面１３側）に形成された通気部１７は、基礎部材本体１１の底面１３と設置面２との間の空隙である。通気部１７内にボルト５と防水層３とがシール材８でシールされた部分が配置されている。貫通孔パイプ部材２０はボルト５との間に僅かな隙間２３が形成されている。通気孔１６、隙間２３、および通気部１７が外気の流路Ｘとなっている。
【００３３】
上記のように本発明の実施形態に係る屋外設備設置用基礎部材１０の取り付け構造１が構成されている。
【００３４】
次に、本実施形態の効果を説明する。
【００３５】
上記したように、本実施形態によれば、基礎部材本体１１の貫通孔１５は、ボルト５が挿入された状態で平面１２側から貫通孔パイプ部材２０の上端部２１に至って硬化性接着剤が充填され、上端部２１が閉塞している。貫通孔パイプ部材２０の側方に連ねられた通気孔パイプ部材３０は設置面２よりも高い位置に配置されている。貫通孔パイプ部材２０の下端部２２（底面１３側）に形成された通気部１７は、基礎部材本体１１の底面１３と設置面２との間の空隙である。貫通孔パイプ部材２０はボルト５との間に僅かな隙間２３が形成されている。通気孔１６、隙間２３、および通気部１７が外気の流路Ｘとなっている。
【００３６】
この構成によれば、空調設備などの影響により建物内が負圧となった場合、外気は通気孔パイプ部材３０から吸気されて貫通孔パイプ部材２０を介して通気部１７に流入し、設置面２のクラックなどを通じて建物の内側に流れる。外気がすべて通気孔パイプ部材３０から吸気されて外気の流路Ｘを流れるため基礎部材本体１１の底面１３と防水層３（設置面２）との間が通気されず、防水層３（設置面２）におけるボルト５の取り付け部分が防水層３（設置面２）を流れるによって水浸水することが抑制される。したがって、防水性に優れている。
【００３７】
本実施形態によれば、ゴム部材４０は円盤状であり、基礎部材本体１１の底面１３に取り付けられて防水層３に密着されている。ゴム部材４０は基礎部材本体１１の底面１３の直径よりも小さく形成され、ゴム部材４０の周縁が基礎部材本体１１の底面１３と防水層３との間でシール材８によってシールされている。この構成によれば、ゴム部材４０は周縁がシールされているため外部に露出されず、紫外線によるゴムの酸化などによる劣化が抑制される。したがって、防水性に優れている。
【００３８】
本実施形態によれば、ゴム部材４０と防水層３との間は、包囲シール部４１によって貫通孔１５を中心とした三重の同心円状にシールされている。包囲シール部４１同士はゴム部材４０の周縁に向かって間隔４２が空いている。この構成によれば、毛細管現象により防水層３（設置面２）と包囲シール部４１との間が浸水した場合、包囲シール部４１同士の間隔４２において基礎部材本体１１の底面１３と防水層３（設置面２）との間に僅かな隙間が生じ、水の流路の幅が広げられるため毛細管現象が起こらず、防水層３（設置面２）におけるボルト５の取り付け部分が防水層３（設置面２）を流れる水によって浸水することが抑制される。仮に、包囲シール部４１が浸水した場合であっても、包囲シール部４１が貫通孔１５を中心とした三重の同心円状にシールされているため、ボルト５の取り付け部分が水によって浸水することが抑制される。したがって、防水性に優れている。
【００３９】
本発実施形態によれば、基礎部材本体１１の通気部１７内に、ボルト５と防水層３とがシール材８でシールされた部分が配置されている。この構成によれば、防水層３（設置面２）におけるボルト５の取り付け部分のシール材８は、基礎部材本体１１の内側に形成された通気部１７においてシールされているため、外気に触れ難く、また浸水し難い。したがって、シール材８の劣化が抑制され、耐久性および防水性に優れている。
【００４０】
本実施形態によれば、基礎部材本体１１は外周面１４を有する略円柱状に形成されている。この構成によれば、基礎部材本体１１の外周面１４が曲面であるため風圧が抑制され、風圧を受けた水が曲面に沿って流れるため、水が風圧を受けて基礎部材本体１１と防水層３との間に滞留することが抑制される。そのため、防水層３（設置面２）におけるボルト５の取り付け部分が防水層３を流れる水によって浸水することが抑制される。したがって、防水性に優れている。
【００４１】
本実施形態によれば、基礎部材本体１１の貫通孔１５は、ボルト５が挿入された状態で平面１２側から貫通孔パイプ部材２０の上端部２１に至ってシール材８が充填され、上端部２１が閉塞している。基礎部材本体１１の平面１２で座金６とシール材８とが接触している。この構成により貫通孔１５が浸水せず、また、シール材８によって座金６が静止する。したがって、防水性に優れている。
【００４２】
次に、本発明の実施例を説明する。
【００４３】
屋外設備設置用基礎部材１０は、基礎部材本体１１が豆砂利を用いたプレキャストコンクリート（ＰＣａ）ブロックであり、高さが１２０ｍｍ、直径が２００φ、強度が２１０ｋｇ／ｃｍ２である。貫通孔１５は平面１２側の口径の直径が２２φ、底面１３側の口径の直径が６０φである。通気部１７は直径が６０φ、高さが１０ｍｍ（ゴム部材４０の厚み６ｍｍを除く）である。通気孔１６は基端部３２が基礎部材本体１１の平面１２から６５ｍｍの位置で貫通孔１５に開口され、先端部３１が平面１２から７０ｍｍの位置で外周面１４に開口されている。
【００４４】
貫通孔パイプ部材２０はポリ塩化ビニル製であり、内径が１６φ、外形が２２φである。貫通孔パイプ部材２０は、上端部２１が平面１２側から３０ｍｍの位置に配置されている。通気孔パイプ部材３０はアルミ製または銅製であり直径が６φである。ゴム部材４０は硬質ゴムであり直径が１８０φ、厚みが６ｍｍである。
【００４５】
座金６はステンレス製であり、横が５０ｍｍ、縦が５０ｍｍ、厚みが３ｍｍである。
【００４６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４７】
１                  屋外設備設置用基礎部材の取り付け構造
２                  設置面
３                  防水層
４                  ボルト孔
５                  ボルト
６                  座金
７                  ナット
８                  シール材
１０                屋外設備設置用基礎部材
１１                基礎部材本体
１２                平面
１３                底面
１４                外周面
１５                貫通孔
１６                通気孔
１７                通気部
２０                貫通孔パイプ部材
２１                上端部
２２                下端部
２３                隙間
３０                通気孔パイプ部材
３１                先端部
３２                基端部
４０                ゴム部材
４１                包囲シール部
４２                間隔
Ｘ                  外気の流路
【図１】
2014136871.tif 000003
【図２】
2014136871.tif 000004